(57)【特許請求の範囲】
【請求項１】
動画データに対して、異なるユーザが各々生成した、動画データに含まれているシーンを識別する識別情報を再生順に配置したリスト情報であって、ユーザに応じて異なるシーンに識別情報が設定されている複数のリスト情報を取得する取得手段と、
前記取得手段により取得された前記複数のリスト情報を配置した画面情報を出力するリスト出力手段と、
前記複数の前記リスト情報に含まれている前記識別情報の選択を受け付ける選択受付手段と、
前記複数の前記リスト情報の各々に含まれている前記識別情報に、当該識別情報により識別されるシーンと対応付けられた文字列情報を出力する文字列情報出力手段と、
前記選択受付手段が選択を受け付けた前記識別情報が識別するシーンから、前記動画データが再生されるよう制御するデータ制御手段と、
を備える映像処理装置。
【請求項２】
前記取得手段は、第１の前記複数のリスト情報を取得し、
前記取得手段が取得した前記第１の複数のリスト情報を配置したリスト選択画面を出力する選択画面出力手段と、をさらに備え、
前記選択受付手段は、前記リスト選択画面に配置された前記第１の複数のリスト情報から、前記第１の複数以下の、第２の複数のリスト情報の選択を受け付け、
前記リスト出力手段は、前記第２の複数のリスト情報を配置した画面情報を出力する、
請求項１に記載の映像処理装置。
【請求項３】
前記選択受付手段は、入力デバイスに配置された、方向を操作するキーの押下に従って、前記識別情報の選択を移動させる、
請求項１又は２に記載の映像処理装置。
【請求項４】
前記リスト出力手段が出力する、リスト情報が複数配置された画面情報には、前記データ制御手段により再生制御される前記動画データが含まれている、
請求項１乃至３のいずれか一つに記載の映像処理装置。
【請求項５】
動画データに対して、異なるユーザが各々生成した、動画データに含まれているシーンを識別する識別情報を再生順に配置したリスト情報であって、ユーザに応じて異なるシーンに識別情報が設定されている複数のリスト情報を取得する取得手段と、
記取得手段により取得された前記複数のリスト情報を配置した画面情報を、表示部に表示するリスト表示手段と、
前記複数の前記リスト情報に含まれている前記識別情報の選択を受け付ける選択受付手段と、
前記選択受付手段が選択を受け付けた前記識別情報が識別するシーンから、前記動画データが再生されるよう制御するデータ制御手段と、
を備えるテレビジョン表示装置。
【請求項６】
動画データに対して、異なるユーザが各々生成した、動画データに含まれているシーンを識別する識別情報を再生順に配置したリスト情報であって、ユーザに応じて異なるシーンに識別情報が設定されている複数のリスト情報を取得する取得ステップと、
前記取得ステップにより取得された前記複数のリスト情報を配置した画面情報を出力するリスト出力ステップと、
前記複数の前記リスト情報に含まれている前記識別情報の選択を受け付ける選択受付ステップと、
前記複数の前記リスト情報の各々に含まれている前記識別情報に、当該識別情報により識別されるシーンと対応付けられた文字列情報を出力する文字列情報出力ステップと、
前記選択受付ステップが選択を受け付けた前記識別情報が識別するシーンから、前記動画データが再生されるよう制御するデータ制御ステップと、
を有する映像処理方法。
【請求項７】
第１の前記複数の前記リスト情報を取得する取得ステップと、
前記取得ステップが取得した前記第１の複数のリスト情報を配置したリスト選択画面を出力する選択画面出力ステップと、をさらに有し、
前記選択受付ステップは、前記リスト選択画面に配置された前記第１の複数のリスト情報から、前記第１の複数以下の、第２の複数のリスト情報の選択を受け付け、
前記リスト出力ステップは、前記第２の複数のリスト情報を配置した画面情報を出力する、
請求項６に記載の映像処理方法。
【発明の詳細な説明】
【技術分野】
【０００１】
本発明の実施形態は、映像処理装置、テレビジョン表示装置、及び映像処理方法に関する。
【背景技術】
【０００２】
従来から、放送により提供された番組コンテンツ、ネットワークを介して配信された番組コンテンツ、又はユーザが制作した動画コンテンツに対して、ユーザが所望するシーンを識別するための識別情報（タグ又はチャプタ）を挿入する技術が提案されている。これによって、ユーザはコンテンツの各シーンを把握できる。
【０００３】
一方、従来技術では、タグリストなどをネットワーク上のサーバに管理する技術が提案されている。これにより、あるユーザが、他のユーザが作成したタグリストを、当該サーバから取得し、コンテンツを視聴する際に利用することが可能となる。
【先行技術文献】
【特許文献】
【０００４】
【特許文献１】特開２００９−７７３２２号公報
【発明の概要】
【発明が解決しようとする課題】
【０００５】
しかしながら、タグリスト又はチャプタリストは、当該ユーザがコンテンツの内容を理解しやすいように作成したものであるが、一つだけでコンテンツの内容が把握できるよう作成されたものとみなされていたため、複数のタグリスト又はチャプタリストを表示することについて従来考慮されていなかった。しかしながら、タグリスト又はチャプタリストはそれぞれ異なる視点から作成された場合もある。
【０００６】
本発明は、上記に鑑みてなされたものであって、コンテンツを視聴する際の利便性を向上させる映像処理装置、テレビジョン表示装置、及び映像処理方法を提供することを目的とする。
【課題を解決するための手段】
【０００７】
実施形態の映像処理装置は、取得手段と、リスト出力手段と、選択受付手段と、文字列情報出力手段と、データ出力制御手段と、を備える。取得手段は、動画データに対して、異なるユーザが各々生成した、動画データに含まれているシーンを識別する識別情報を再生順に配置したリスト情報であって、ユーザに応じて異なるシーンに識別情報が設定されている複数のリスト情報を取得する。リスト出力手段は、取得手段により取得された複数のリスト情報を配置した画面情報を出力する。選択受付手段は、前記複数の前記リスト情報に含まれている前記識別情報の選択を受け付ける。文字列情報出力手段は、複数のリスト情報の各々に含まれている識別情報に、当該識別情報により識別されるシーンと対応付けられた文字列情報を出力する。データ出力制御手段は、前記選択受付手段が選択を受け付けた前記識別情報が識別するシーンから、前記動画データが再生されるよう制御する。
【図面の簡単な説明】
【０００８】
【図１】図１は、第１の実施形態にかかるネットワーク構成を示した図である。
【図２】図２は、第１の実施形態にかかるコンテンツ録画装置の主要な信号処理系を示すブロック図である。
【図３】図３は、第１の実施形態にかかるリモートコントローラの外観を示す平面図である。
【図４】図４は、第１の実施形態にかかるコンテンツ録画装置の制御部で実現されるソフトウェア構成を示した図である。
【図５】図５は、第１の実施形態にかかるコンテンツ選択画面の例を示した図である。
【図６】図６は、ユーザ１が作成したタグリストの例を示した図である。
【図７】図７は、ユーザ２が作成したタグリストの例を示した図である。
【図８】図８は、ユーザ３が作成したタグリストの例を示した図である。
【図９】図９は、第１の実施形態にかかるタグ管理サーバが、他の機器に対して送信するタグリストのフォーマットの例を示した図である。
【図１０】図１０は、第１の実施形態にかかるリスト選択画面出力制御部によるタグリスト選択画面の例を示した図である。
【図１１】図１１は、第１の実施形態にかかるタグリスト出力制御部による、コンテンツ表示画面の例を示した図である。
【図１２】図１２は、第１の実施形態にかかるコンテンツ録画装置における、全体的な処理の手順を示すフローチャートである。
【図１３】図１３は、第２の実施形態にかかるテレビジョン表示装置の主要な信号処理系を示すブロック図である。
【図１４】図１４は、第３の実施形態にかかる携帯可能な端末装置と、テレビジョン表示装置と、を示した図である。
【発明を実施するための形態】
【０００９】
（第１の実施形態）
図１は、第１の実施形態にかかるネットワーク構成を示した図である。図１に示すように、デジタルコンテンツ録画装置１００が、デジタルテレビジョン表示装置１１０と接続されており、デジタルコンテンツ録画装置１００は、ネットワーク１７０を介して接続されたタグ管理サーバ１５０との間でデータの送受信を行うことができる。このように、本実施形態は、映像処理装置としてデジタルデジタルコンテンツ録画装置１００を用いた例とする。
【００１０】
タグ管理サーバ１５０は、タグリスト記憶装置１６０と接続されており、他の機器（例えばコンテンツ録画装置やテレビジョン表示装置）から送信されてきたタグリストを管理する。なお、本実施形態ではタグリストの例について説明するが、コンテンツのシーンを識別する情報を含んだリストであればよく、例えばチャプタリスト等であっても良い。
【００１１】
そして、タグ管理サーバ１５０は、他の機器からの要求に応じて、当該機器に対してタグリストを送信する。例えば、タグ管理サーバ１５０は、デジタルコンテンツ録画装置１００からコンテンツを識別する情報と共に、タグリストの送信要求を受け付けた場合、当該コンテンツに関するタグリストを、デジタルコンテンツ録画装置１００に対して送信する。
【００１２】
このようにして、デジタルコンテンツ録画装置１００は、タグ管理サーバ１５０からタグリストを取得できる。そして、デジタルコンテンツ録画装置１００は、取得したタグリストを、コンテンツと共に、デジタルテレビジョン表示装置１１０の表示画面上に表示する。
【００１３】
次に、デジタルコンテンツ録画装置１００のハードウェア構成について説明する。図２は、本実施形態にかかるデジタルコンテンツ録画装置１００の主要な信号処理系を示すブロック図である。
【００１４】
ＢＳ／ＣＳデジタル放送受信用のアンテナ２４１で受信した衛星デジタルテレビジョン放送信号は、入力端子２０１を介して衛星デジタル放送用のチューナ２０２ａに供給される。
【００１５】
チューナ２０２ａは、制御部２０５からの制御信号により所望のチャネルの放送信号を選局し、この選局された放送信号をＰＳＫ（Ｐｈａｓｅ  Ｓｈｉｆｔ  Ｋｅｙｉｎｇ）復調器２０２ｂに出力する。
【００１６】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１７】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファ（図示せず）へ出力する。
【００１８】
また、ＴＳ復号器２０２ｃは、デジタル放送により送られているセクション情報を信号処理部２０６内のセクション処理部（図示せず）へ出力する。
【００１９】
地上波放送受信用のアンテナ２４２で受信した地上デジタルテレビジョン放送信号は、入力端子２０３を介して地上デジタル放送用のチューナ２０４ａに供給される。
【００２０】
チューナ２０４ａは、制御部２０５からの制御信号により所望のチャネルの放送信号を選局し、この選局された放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２０４ｂに出力する。
【００２１】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００２２】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファへ出力する。
【００２３】
また、ＴＳ復号器２０４ｃは、デジタル放送により送られているセクション情報を信号処理部２０６内のセクション処理部へ出力する。
【００２４】
ここで、上記信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介して録画用記録装置（例えば、ＨＤＤ）２７０に記録している。また、信号処理部２０６は、録画番組再生時には、制御部２０５を介して録画用記録装置（例えば、ＨＤＤ）２７０から読み出された録画番組のデータに、所定のデジタル信号処理を施し、グラフィック処理部２０７及び音声処理部２０８に出力している。
【００２５】
制御部２０５には、信号処理部２０６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。
【００２６】
制御部２０５は、これら入力された情報からＥＰＧ、字幕を表示するため画像生成処理を行い、この生成した画像情報をグラフィック処理部２０７へ出力する。
【００２７】
また、この制御部２０５は、番組録画および番組予約録画を制御する機能を有し、番組予約受付時には、外部の表示装置（例えば、デジタルテレビジョン表示装置１１０）に電子番組ガイド（ＥＰＧ）情報を表示し、操作部２２０またはリモートコントローラ２２１を介したユーザ入力により予約内容を、記録装置２７１に設定する。
【００２８】
図３は、リモートコントローラの外観を示す平面図である。図３に示すように、リモートコントローラ２２１には、主として、電源キー３２５ａ、数字キー３２５ｃ、チャンネルアップダウンキー３２５ｄ、音量調整キー３２５ｅ、カーソル上キー３２５ｆ、カーソル下キー３２５ｇ、カーソル左キー３２５ｈ、カーソル右キー３２５ｉ、決定キー３２５ｊ、メニューキー３２５ｋ、戻るキー３２５ｌ、終了キー３２５ｍ、４色（青、赤、緑、黄）のカラーキー３２５ｎ等が設けられている。
【００２９】
また、リモートコントローラ２２１には、再生停止キー３２５ｏ、再生／一時停止キー３２５ｐ、逆方向スキップキー３２５ｑ、順方向スキップキー３２５ｒ、早戻しキー３２５ｓ、早送りキー３２５ｔ等が設けられている。
【００３０】
ユーザは、リモートコントローラ２２１に設けられた各キーを操作することで、予約内容を記録装置２７１に設定できる。さらに、リモートコントローラ２２１は、後述するタグリストを表示するための操作や、タグリスト内からタグを選択する際にも利用される。
【００３１】
図２に戻り、制御部２０５は記録装置２７１に設定された予約内容に従って、設定された時刻に予約番組を録画するようチューナ２０２ａ、２０４ａ、ＰＳＫ復調器２０２ｂ、ＯＦＤＭ復調器２０４ｂ、ＴＳ復号器２０２ｃ、２０４ｃおよび信号処理部２０６を制御する。
【００３２】
セクション処理部は、ＴＳ復号器２０２ｃ（２０４ｃ）から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２０５へ出力する。
【００３３】
グラフィック処理部２０７は、（１）信号処理部２０６内のＡＶデコーダ（図示せず）から供給されるデジタルの映像信号と、（２）ＯＳＤ（Ｏｎ  Ｓｃｒｅｅｎ  Ｄｉｓｐｌａｙ）信号生成部２０９で生成されるＯＳＤ信号と、（３）データ放送による画像データと、（４）制御部２０５により生成されたＥＰＧ、字幕信号とを合成して映像処理部２１０へ出力する機能を有する。
【００３４】
また、字幕放送による字幕を表示するとき、グラフィック処理部２０７は、制御部２０５からの制御による字幕情報に基づき、映像信号上に字幕情報を重畳する処理を行う。
【００３５】
グラフィック処理部２０７から出力されたデジタルの映像信号は、映像処理部２１０に供給される。この映像処理部２１０は、入力されたデジタルの映像信号を、デジタルテレビジョン表示装置１１０で表示可能なフォーマットのアナログ映像信号に変換した後、出力端子２１１を介してデジタルテレビジョン表示装置１１０に出力して映像表示させる。
【００３６】
また、上記音声処理部２０８は、入力されたデジタルの音声信号を、デジタルテレビジョン表示装置で再生可能なフォーマットのアナログ音声信号に変換した後、出力端子２１２を介してデジタルテレビジョン表示装置１１０に出力して音声再生させる。
【００３７】
ここで、このデジタルコンテンツ録画装置１００は、上記した各種の受信動作を含むその全ての動作を制御部２０５によって統括的に制御されている。この制御部２０５は、ＣＰＵ（Ｃｅｎｔｒａｌ  Ｐｒｏｃｅｓｓｉｎｇ  Ｕｎｉｔ）等を内蔵しており、操作部２２０からの操作情報を受け、または、リモートコントローラ２２１から送出された操作情報を、受光部２２２を介して受信し、その操作内容が反映されるように各部をそれぞれ制御している。
【００３８】
この場合、制御部２０５は、主として、そのＣＰＵが実行する制御プログラムを格納したＲＯＭ（Ｒｅａｄ  Ｏｎｌｙ  Ｍｅｍｏｒｙ）２０５ａと、当該ＣＰＵに作業エリアを提供するＲＡＭ（Ｒａｎｄｏｍ  Ａｃｃｅｓｓ  Ｍｅｍｏｒｙ）２０５ｂと、各種の設定情報及び制御情報等が格納される不揮発性メモリ２０５ｃとを利用している。
【００３９】
また、この制御部２０５は、カードＩ／Ｆ（Ｉｎｔｅｒｆａｃｅ）２２３を介して、第１のメモリカード２２４が装着可能なカードホルダ２２５に接続されている。これによって、制御部２０５は、カードホルダ２２５に装着された第１のメモリカード２２４と、カードＩ／Ｆ２２３を介して情報伝送することができる。
【００４０】
さらに、制御部２０５は、カードＩ／Ｆ２２６を介して、第２のメモリカード２２７が装着可能なカードホルダ２２８に接続されている。これにより、制御部２０５は、カードホルダ２２８に装着された第２のメモリカード２２７と、カードＩ／Ｆ２２６を介して情報伝送することができる。
【００４１】
また、制御部２０５は、通信Ｉ／Ｆ２２９を介して第１のＬＡＮ端子２３０に接続されている。これにより、制御部２０５は、第１のＬＡＮ端子２３０に接続されたＬＡＮ対応の機器（例えば、外付けＨＤＤ）と、通信Ｉ／Ｆ２２９を介して情報伝送することができる。この場合、制御部２０５は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有し、第１のＬＡＮ端子２３０に接続されたＬＡＮ対応の機器にＩＰ（Ｉｎｔｅｒｎｅｔ  Ｐｒｏｔｏｃｏｌ）アドレスを割り当てて制御している。
【００４２】
さらに、制御部２０５は、通信Ｉ／Ｆ２３１を介して第２のＬＡＮ端子２３２に接続されている。これにより、制御部２０５は、第２のＬＡＮ端子２３２に接続されたＬＡＮ対応の各種機器と、通信Ｉ／Ｆ２３１を介して情報伝送することができる。
【００４３】
また、制御部２０５は、ＵＳＢ  Ｉ／Ｆ２３３を介してＵＳＢ端子２３４に接続されている。これにより、制御部２０５は、ＵＳＢ端子２３４に接続された各種機器と、ＵＳＢ  Ｉ／Ｆ２３３を介して情報伝送することができる。
【００４４】
さらに、制御部２０５は、ｉ．ＬＩＮＫ  Ｉ／Ｆ２３５を介してｉ．ＬＩＮＫ端子２３６に接続されている。これにより、制御部２０５は、ｉ．ＬＩＮＫ端子２３６に接続された各種機器と、ｉ．ＬＩＮＫ  Ｉ／Ｆ２３５を介して情報伝送することができる。
【００４５】
次に、ＲＯＭ２０５ａに格納された制御プログラムのうち、タグリストに関する制御プログラムを実行した場合に行われる処理について説明する。図４は、制御部２０５で当該制御プログラムを実行した場合に実現されるソフトウェア構成を示した図である。
【００４６】
図４に示すように、制御部２０５は、取得部４０１と、選択受付部４０３と、出力制御部４０４と、を備える。また、図２の記録装置２７１内に、タグリストを記憶するタグリスト記憶部４０２を備える。
【００４７】
出力制御部４０４は、リスト選択画面出力制御部４１１と、タグリスト出力制御部４１２と、コンテンツ出力制御部４１３と、を備え、デジタルテレビジョン表示装置１１０に表示するために、各種データの出力制御を行う。
【００４８】
また、出力制御部４０４は、表示するコンテンツを選択するためのコンテンツ選択画面を、デジタルテレビジョン表示装置１１０に対して出力制御する。
【００４９】
図５は、コンテンツ選択画面の例を示した図である。図５に示すコンテンツ選択画面５００の例では、録画用記録装置２７０に記憶されたコンテンツの一覧が表示される。当該コンテンツの一覧では、コンテンツ毎に、当該コンテンツの一シーンを表したサムネイル画像が表示される。
【００５０】
そして、ユーザは、リモートコントローラ２２１のキーを操作することで、コンテンツを選択できる。そして、リモートコントローラ２２１は、キー操作が行われる毎に、当該キーによる操作情報を、デジタルコンテンツ録画装置１００に出力する。そして、デジタルコンテンツ録画装置１００は、当該操作情報に従って操作が行われた後のコンテンツ選択画面を、デジタルテレビジョン表示装置１１０に出力制御する。
【００５１】
例えば、出力制御部４０４が、コンテンツ５０１が選択された状態で出力制御している場合に、リモートコントローラ２２１の決定キー３２５ｊの押下を受け付けた場合、リモートコントローラ２２１から出力される操作情報に従って、コンテンツ出力制御部４１３が、選択されたコンテンツの再生を出力制御する。
【００５２】
一方、コンテンツ選択画面でコンテンツ５０１が選択された状態で、リモートコントローラ２２１が、４色（青、赤、緑、黄）のカラーキー３２５ｎのうち、“タグリスト一覧表示”に割り当てられたカラーキーの押下を受け付けた場合、デジタルコンテンツ録画装置１００は、タグリスト一覧を表示するための制御を行う。
【００５３】
取得部４０１は、通信Ｉ／Ｆ２２９を介して、タグ管理サーバ１５０に対して、選択されたコンテンツ（例えばコンテンツ５０１）に関するタグリストの送信を要求する。その際、取得部４０１は、コンテンツを識別するための情報を併せて送信する。コンテンツを識別するための情報としては、例えば、番組名、放送日時、放送開始時間、放送局、及びチャンネルコードによる組み合わせが考えられる。
【００５４】
そして、取得部４０１は、当該送信要求に基づいて送信されてきた、コンテンツに関するタグリストを複数取得する。なお、本実施形態は、タグリストを、ネットワークを介して取得する例に制限するものではない。他の例としては、記録装置２７１内に記憶されていたタグリストを取得してもよい。
【００５５】
次に、タグリストについて説明する。図６〜図８は、ユーザが作成したタグリストの例を示した図である。図６〜図８に示すタグリストは、同一のコンテンツに対して異なるユーザが作成したタグリストとする。タグリストに含まれる各タグには、コンテンツ内のシーンを識別するタグ位置（コンテンツが開始してからの経過時間  Ｈ：ＭＭ：ＳＳ）と、当該タグを識別する文字列情報と、が対応付けられている。
【００５６】
図６〜図８に示すように、同一のコンテンツであるにも拘わらず、ユーザ毎に、タグを設定したタグ位置及びタグの文字列情報が異なる。
【００５７】
図６に示す例は、ユーザ１が注目しているチームＢに関するシーンを集めたタグリストとする。例えば、コンテンツの「０：１５：１０」経過後に「チームＢ  イエローカード」で示されるシーンがあることを表している。
【００５８】
図７に示す例は、ユーザ２が注目しているチームＡに関するシーンを集めたタグリストとする。図８に示す例は、ユーザ３が注目している選手Ｘに関するシーンを集めたタグリストとする。
【００５９】
そして、タグ管理サーバ１５０が管理しているタグリスト（例えば、図６〜図８に示すタグリスト）は、他の機器からの要求に応じて送信される。
【００６０】
図９は、タグ管理サーバ１５０が、他の機器（例えば、デジタルコンテンツ録画装置１００）に対して送信するタグリストのフォーマットの例を示した図である。図９に示す例は、図６に示すタグリストを送信する例とする。図９に示す例では、ＸＭＬ形式の例とするが、他のフォーマットであっても良い。
【００６１】
図９に示すタグリストの例では、番組名９０１と、放送日時９０２と、放送開始時間９０３と、放送局９０４と、チャネルコード９０５とを含んでいる。これにより対応付けられているコンテンツを識別できる。そして、ユーザが作成したタグリストのタイトル９１１も含んでいる。さらには、タグ（例えば"tagging-01"タグ９１２）毎に、経過時間（例えば"timestamp"タグ９１３）と、文字列情報（例えば"text"タグ９１４）を含んでいる。
【００６２】
このように各タグリストは、コンテンツを識別するための情報を含んでいる。このため、例えばデジタルコンテンツ録画装置１００が、タグリストの送信要求と共に、コンテンツを識別する情報を、タグ管理サーバ１５０に送信された場合に、タグ管理サーバ１５０は、当該コンテンツを識別する情報と対応付けられているタグリストを、デジタルコンテンツ録画装置１００に対して送信できる。
【００６３】
そして、デジタルコンテンツ録画装置１００の取得部４０１は、タグ管理サーバ１５０から送信されてきたタグリストを取得し、記録装置２７１内のタグリスト記憶部４０２に記憶させる。
【００６４】
これにより、出力制御部４０４のリスト選択画面出力制御部４１１が、タグリスト記憶部４０２に記憶された複数のタグリストを配置したタグリスト選択画面を表示する。
【００６５】
図１０は、リスト選択画面出力制御部４１１によるタグリスト選択画面の例を示した図である。図１０に示すように、タグリスト選択画面では、コンテンツ選択画面で選択されたコンテンツと対応付けられたタグリストの一覧を、欄１００１内に表示する。そして、タグリスト選択画面では、タグリスト毎に、タグリストに付与されたタイトル１００３と、タグ位置が示された、コンテンツの再生バー１００４と、が表示される。そして、ユーザは、表示したいタグリストのチェックボックス（例えばチェックボックス１００２）に対して、チェックを行う。このチェックボックスの選択は、リモートコントローラ２２１を介した操作により行われる。
【００６６】
選択受付部４０３は、リモートコントローラ２２１による操作に従って、タグリスト選択画面に配置された複数のタグリストから、タグリストの選択を受け付ける。本実施形態にかかる選択受付部４０３は、タグリスト選択画面に配置された数以下のタグリストの選択を受け付けることができる。
【００６７】
また、リスト選択画面出力制御部４１１は、タグリスト選択画面に、ＯＫボタン１００５と、キャンセルボタン１００６と、を表示する。そして、リモートコントローラ２２１の操作で、ＯＫボタン１００５の選択を受け付けた場合に、タグリスト選択画面で選択されたタグリストと共に、コンテンツ選択画面で選択されたコンテンツが表示される。
【００６８】
タグリスト出力制御部４１２は、コンテンツが表示されている表示画面内に、タグリストを複数配置した表示画面情報を、デジタルテレビジョン表示装置１１０に対して出力制御する。
【００６９】
図１１は、タグリスト出力制御部４１２により、タグリストが複数配置されたコンテンツの表示画面の例を示した図である。図１１に示す表示画面例では、再生中のコンテンツに対して、本コンテンツに関連付けられたタグリストを同時に複数表示されている。これにより、ユーザはタグリストとコンテンツとを同時に視認できる。
【００７０】
図１１に示す表示画面では、タグリスト１１０１、１１０２、１１０３が配置されている。これらタグリスト１１０１、１１０２、１１０３は、再生バー上に、複数のタグが再生順に配置されている。
【００７１】
そして、ユーザが、リモートコントローラ２２１を用いて、同時表示された複数のタグリストに含まれるタグを選択する。選択受付部４０３は、リモートコントローラ２２１のカーソル上キー３２５ｆ又はカーソル下キー３２５ｇが押下されたことを認識した場合に、他のタグリストを選択する操作を受け付けたものとする。また、選択受付部４０３は、カーソル左キー３２５ｈ又はカーソル右キー３２５ｉが押下されたことを認識した場合に、選択されたタグリスト内のタグを選択する操作を受け付けたものとする。その後、タグリスト出力制御部４１２は、選択操作に従った表示画面情報を出力制御する。このように、選択受付部４０３は、リモートコントローラ２２１に配置された、方向を操作するキーの押下に従って、タグ及びタグリストの選択を移動させる。
【００７２】
例えば、タグリスト出力制御部４１２は、タグが選択された場合に、当該タグに関連する文字列情報を出力制御する。図１１に示す表示画面は、タグリスト１１０２上のタグ１１０４が選択された例とする。これに伴い、タグリスト出力制御部４１２は、当該タグ１１０４に対応するポップアップウィンドウ１１０５を出力制御する。当該ポップアップウィンドウ１１０５には、当該タグ１１０４と対応付けられた文字列情報が配置されている。これにより、ユーザはタグの内容を認識できる。
【００７３】
そして、選択受付部４０３が、表示されるタグリストに含まれている、タグの選択を受け付ける。この選択の受付は、当該タグが選択された状態で、リモートコントローラ２２１の決定キー３２５ｊの押下がされたことに基づく。
【００７４】
コンテンツ出力制御部４１３は、選択受付部４０３がタグの選択を受け付けた場合、当該タグ位置で示されるシーン（再生位置）から、コンテンツ再生を開始するよう、デジタルテレビジョン表示装置１１０に対して出力制御を行う。
【００７５】
タグリスト出力制御部４１２は、コンテンツが再生開始された時に、複数のタグリストを自動的に表示されるよう制御することに制限するものではない。例えば、選択受付部４０３が受け付けたユーザの選択操作に従って、タグリスト出力制御部４１２は、タグリストの表示／非表示を切り替えても良い。
【００７６】
次に、本実施の形態にかかるデジタルコンテンツ録画装置１００における、全体的な処理について説明する。図１２は、本実施の形態にかかるデジタルコンテンツ録画装置１００における上述した処理の手順を示すフローチャートである。
【００７７】
まず、出力制御部４０４が、コンテンツの一覧画面を表示するよう、出力制御する（ステップＳ１２０１）。これにより、図５に示すようなコンテンツ一覧画面が表示される。
【００７８】
そして、選択受付部４０３が、一覧画面からコンテンツの選択を受け付けたか否かを判定する（ステップＳ１２０２）。受け付けていない場合（ステップＳ１２０２：Ｎｏ）、継続して、出力制御部４０４が、コンテンツの一覧画面を出力制御する（ステップＳ１２０１）。
【００７９】
一方、選択受付部４０３がコンテンツの選択を受け付けたと判定した場合（ステップＳ１２０２：Ｙｅｓ）、さらに選択受付部４０３は、タグリスト一覧を表示するためのボタン（例えばカラーキー３２５ｎ）の押下を受け付けたか否かを判定する（ステップＳ１２０３）。タグリスト一覧を表示するためのボタンの押下を受け付けていないと判定した場合（ステップＳ１２０３：Ｎｏ）、継続して、出力制御部４０４が、コンテンツの一覧画面を出力制御する（ステップＳ１２０１）。
一方、選択受付部４０３が、タグリスト一覧を表示するためのボタンの押下を受け付けた場合（ステップＳ１２０３：Ｙｅｓ）、取得部４０１が、ステップＳ１２０２で選択されたコンテンツに関するタグリストを、タグ管理サーバ１５０から取得する（ステップＳ１２０４）。なお、タグリスト一覧を表示するためのボタンではなく、決定キー３２５ｊが押下された場合には、選択されたコンテンツの再生が行われる。
【００８０】
そして、取得部４０１は、取得したタグリストを、タグリスト記憶部４０２に記憶する（ステップＳ１２０５）。その後、リスト選択画面出力制御部４１１が、タグリスト記憶部４０２に記憶されたタグリストを読み出して、当該タグリストが一覧表示されたタグリスト選択画面を表示するよう、出力制御する（ステップＳ１２０６）。
【００８１】
その後、選択受付部４０３が、タグリスト選択画面に表示されたタグリストの一覧から、複数のタグリストの選択を受け付ける（ステップＳ１２０７）。
【００８２】
その後、選択受付部４０３が、タグリストの選択が終了したか否かを判定する（ステップＳ１２０８）。本実施形態では、図１０に示すタグリスト選択画面において、ＯＫボタン１００５が押下されたか否かに基づいて判定する。選択が終了していないと判定した場合（ステップＳ１２０８：Ｎｏ）、継続してタグリストの選択を受け付ける（ステップＳ１２０７）。
【００８３】
一方、選択受付部４０３が選択を終了したと判定した場合（ステップＳ１２０８：Ｙｅｓ）、タグリスト出力制御部４１２が、再生されているコンテンツとともに、選択された複数のタグリストを表示するよう、出力制御する（ステップＳ１２０９）。これにより、図１１に示すように、複数のタグリストがコンテンツとともに表示画面上に表示される。
【００８４】
そして、選択受付部４０３が、リモートコントローラ２２１からの操作情報に従って、タグリスト選択及びタグ選択の移動操作を受け付ける（ステップＳ１２１０）。
【００８５】
その後、選択受付部４０３は、タグ選択の決定を受け付けたか否かを判定する（ステップＳ１２１１）。タグ選択の決定を受け付けていない場合（ステップＳ１２１１：Ｎｏ）、再びステップＳ１２１０から移動操作を受け付ける。
【００８６】
一方、選択受付部４０３が、タグ選択の決定を受け付けた場合（ステップＳ１２１１：Ｙｅｓ）、コンテンツ出力制御部４１３が、選択されたタグ位置から、コンテンツを再生するよう出力制御する（ステップＳ１２１２）。
【００８７】
そして、コンテンツ出力制御部４１３が、再生しているコンテンツが終了したか否かを判定する（ステップＳ１２１３）。コンテンツが終了していないと判定した場合（ステップＳ１２１３：Ｎｏ）、再びステップＳ１２１０から移動操作を受け付ける。
【００８８】
一方、コンテンツ出力制御部４１３が、再生しているコンテンツが終了したと判定した場合（ステップＳ１２１３：Ｙｅｓ）、処理を終了する。
【００８９】
上述した処理手順により、複数表示されたタグリストから、ユーザが所望するタグの選択を受け付けた場合に、当該タグが指し示す位置から、コンテンツの再生を行うことができる。
【００９０】
本実施形態にかかるデジタルコンテンツ録画装置１００では、取得したタグリストをタグリスト記憶部４０２に記憶することで、当該コンテンツが次に再生される場合においても、タグリストを表示することができる。この再生の際に、前回選択された複数のタグリストを表示しても良いし、タグリストの選択を受け付けるようタグリスト選択画面を表示しても良い。
【００９１】
本実施形態にかかるデジタルコンテンツ録画装置１００では、表示画面の下方領域にタグリストを３個表示させる例について説明したが、表示態様を当該表示手法に制限するものではない。例えば、表示画面の右側に設けられた所定領域に５個のタグリストを縦に表示してもよい。選択受付部４０３が３個以上のタグリストの選択を受け付けた場合、タグリスト出力制御部４１２は、表示画面の下方領域に同時に３個しか配置しないが、選択受付部４０３が受け付けた選択情報（例えば上下キーの押下）に従ったスクロール表示とし、表示されるタグリストを選択可能としても良い。
【００９２】
なお、本実施形態では、コンテンツとして、放送又はネットワークを介して提供された番組コンテンツを処理対象とする例について説明するが、番組コンテンツに制限するものではなく、ユーザが任意のシーンに対してタグ等を設定可能な動画コンテンツであればよい。さらには、動画コンテンツに制限するものではなく、例えば音楽コンテンツ等であってもよい。
【００９３】
本実施形態にかかるコンテンツ録画装置が上述した構成を備えることで、ユーザは、サーバから得られるタグリスト群を対象コンテンツと容易に関連づけて確認することができる。さらに、相当量のタグの中から容易に希望するタグを選択して、容易にタグが指し示す位置からコンテンツを視聴できる。
【００９４】
（第２の実施形態）
第１の実施形態は、映像処理装置をコンテンツ録画装置に用いた例について説明した。しかしながら、コンテンツ録画装置以外の装置についても適用できる。そこで、第２の実施形態では、テレビジョン表示装置に適用した例について説明する。
【００９５】
テレビジョン表示装置のハードウェア構成について説明する。図１３は、本実施形態にかかるデジタルテレビジョン表示装置１３００の主要な信号処理系を示すブロック図である。
【００９６】
図１３に示すデジタルテレビジョン表示装置１３００の主要な信号処理系では、図２に示すデジタルコンテンツ録画装置１００と比べて、デジタルテレビジョン表示装置１３００に内蔵されたスピーカ１３０１と映像表示器１３０２とが追加されている。
【００９７】
スピーカ１３０１は、音声処理部２０８により再生可能なフォーマットのアナログ音声信号が音声処理部２０８から入力され、当該アナログ音声信号を外部環境に出力する。
【００９８】
映像表示器１３０２は、液晶ディスプレイ等であり、映像処理部２１０から入力されたアナログ映像信号に基づいて画面表示を行う。
【００９９】
当該デジタルテレビジョン表示装置１３００においては、第１の実施形態にかかるデジタルコンテンツ録画装置１００と同様に、ＲＯＭ２０５ａに格納された制御プログラムを読み込んで、様々な処理を実行する。第２の実施形態にかかるデジタルテレビジョン表示装置１３００は、第１の実施形態のデジタルコンテンツ録画装置１００と同様のソフトウェア構成（例えば、図４参照）を実現する。
【０１００】
そして、本実施形態にかかるデジタルテレビジョン表示装置１３００は、ネットワークを介して接続されたタグ管理サーバ１５０とデータを送受信することで、複数のタグリストを取得し、第１の実施形態と同様に、図５、図１０、及び図１１に示す画面を表示できる。
【０１０１】
上述した第１の実施形態及び第２の実施形態では、ユーザがリモートコントローラ２２１から、複数のタグリスト上のタグ群の中から希望のタグを容易に選択できる。
【０１０２】
（第３の実施形態）
さらには、コンテンツ録画装置及びテレビジョン表示装置以外の機器に適用しても良い。第３の実施形態では、携帯可能な端末装置を用いた例について説明する。
【０１０３】
図１４は、本実施形態にかかる携帯可能な端末装置１４００と、デジタルテレビジョン表示装置１１０と、を示した図である。
【０１０４】
図１４に示す端末装置１４００は、通常のＰＣ等と同様のハードウェア構成を備えているものとして、説明を省略する。そして、端末装置１４００は、デジタルテレビジョン表示装置１１０との間で、ＤＬＮＡ（Digital  Living  Network  Alliance）により相互接続を可能とする。
【０１０５】
これにより、端末装置１４００は、ＤＭＣ（Digiral  Media  Controller）として機能し、デジタルテレビジョン表示装置１１０の操作を可能とする。
【０１０６】
さらに、端末装置１４００は、液晶パネル１４０１を備え、当該液晶パネル１４０１に対して、様々なデータを表示することができる。
【０１０７】
さらに、端末装置１４００は、タグ管理サーバ１５０とデータを送受信し、複数のタグリストを液晶パネル１４０１に表示することができる。そして、端末装置１４００は、表示されたタグリストのタグ位置に対する押下を受け付けることで、当該タグ位置からコンテンツを再生するよう、デジタルテレビジョン表示装置１１０に対して指示する。
【０１０８】
これにより、第３の実施形態にかかる端末装置１４００は、第１の実施形態のデジタルコンテンツ録画装置１００と同様の機能を実現できる。
【０１０９】
上述した実施形態にかかるコンテンツ録画装置、テレビジョン表示装置及び端末装置においては、異なるタグリストが複数表示されるので、様々な視点からコンテンツの内容を確認できる。さらに、当該視点に基づいて編集されたタグリストに含まれるタグからコンテンツを容易に再生できるので、コンテンツを視聴する際の利便性を向上できる。
【０１１０】
上述した実施形態にかかるコンテンツ録画装置、テレビジョン表示装置、及び端末装置で実行される処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１１】
さらに、上述した実施形態のコンテンツ録画装置、テレビジョン表示装置、及び端末装置で実行される処理プログラムを、インターネット等のネットワークに接続されたコンピュータ上に格納し、ネットワーク経由でダウンロードさせることにより提供するように構成しても良い。また、本実施形態のコンテンツ録画装置、テレビジョン表示装置、及び端末装置で実行される処理プログラムをインターネット等のネットワーク経由で提供または配布するように構成しても良い。
【０１１２】
上述した実施形態のコンテンツ録画装置、テレビジョン表示装置、及び端末装置で実行される処理プログラムは、上述した各部（取得部、選択受付部、出力制御部）を含むモジュール構成となっており、実際のハードウェアとしてはＣＰＵがＲＯＭから処理プログラムを読み出して実行することにより上記各部がＲＡＭ上にロードされ、取得部、選択受付部、出力制御部がＲＡＭ上に生成されるようになっている。
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１４】
１００…デジタルコンテンツ録画装置、１１０…デジタルテレビジョン表示装置、１５０…タグ管理サーバ、１６０…タグリスト記憶装置、１７０…ネットワーク、２２１…リモートコントローラ、４０１…取得部、４０２…タグリスト記憶部、４０３…選択受付部、４０４…出力制御部、４１１…リスト選択画面出力制御部、４１２…タグリスト出力制御部、４１３…コンテンツ出力制御部、１３００…デジタルテレビジョン表示装置、１４００…端末装置
【図１】
0005238863.tif 000002
【図２】
0005238863.tif 000003
【図３】
0005238863.tif 000004
【図４】
0005238863.tif 000005
【図５】
0005238863.tif 000006
【図６】
0005238863.tif 000007
【図７】
0005238863.tif 000008
【図８】
0005238863.tif 000009
【図９】
0005238863.tif 000010
【図１０】
0005238863.tif 000011
【図１１】
0005238863.tif 000012
【図１２】
0005238863.tif 000013
【図１３】
0005238863.tif 000014
【図１４】
0005238863.tif 000015